(57)【要約】  本発明は、少なくとも一つの生成物排出管と、前記生成物を収集する手段を有する気密の接続装置に関するものであって、前記装置は、  前記管を気密状態で接続する手段を備える第一の部材と、  前記収集手段を気密状態で連結する手段（１７，１８）を備える第二の部材（２）と、  を備え、  前記第一及び第二の部材は、その間が気密状態で連結されるようにされ、前記排出管から前記収集手段に、前記第一及び第二の部材によって前記生成物を排出させる付加的手段を備える。  本発明によれば、前記第二の部材（２）は、前記収集手段への気密連結の間操作されるために配置された位置センサを含む。
2018534535.tif 000002
【特許請求の範囲】
【請求項１】
少なくとも一つの生成物排出管（Ｔ）と、生成物を収集する収集手段を有する気密の接続装置であって、
前記生成物排出管（Ｔ）を気密状態で接続する手段（４）を備える第一の部材（１）と、
前記収集手段を気密状態で連結する手段（１７，１８）を備える第二の部材（２）と、
を備え、
第一及び第二の前記部材は、両者間が気密状態で連結されるようにされ、かつ、第一及び第二の前記部材によって前記生成物が前記排出管（Ｔ）から前記収集手段に排出されるようにする付加的手段（４，５）を備え、
前記第二の部材（２）は、前記収集手段への気密連結の間操作されるために配置された位置センサを備えることを特徴とする
接続装置。
【請求項２】
請求項１に記載の接続装置において、
前記センサの作動が、前記第一の部材（１）と前記第二の部材（２）の気密連結の検出のための位置への移動を生じさせることを特徴とする
接続装置。
【請求項３】
請求項１又は請求項２に記載の接続装置において、
前記第二の部材（２）は、前記位置センサの作動部材（２２）を、前記位置センサの検出部材（２３）に対して移動させる移動手段（１９）を備え、前記作動部材（２２）が中立位置から検出位置へ移動可能とされており、前記移動手段（１９）は前記収集手段への気密連結の間作動することを特徴とする
接続装置。
【請求項４】
請求項３に記載の接続装置において、
前記検出部材（２３）は、前記第二の部材（２）が前記収集手段に気密状態に連結されたとき、前記移動手段（１９）が前記作動部材（２２）を、前記検出部材（２３）の検出距離で前記検出位置に移動させるように、前記第一の部材（１）に配置されていることを特徴とする
接続装置。
【請求項５】
請求項３又は請求項４に記載の接続装置において、
移動手段は前記収集手段への連結の手段（１８）に配置された板バネ（１９）の形式であり、前記作動部材（２２）は前記バネのブレード（２１）に取り付けられ、かつ、前記バネ（１９）は、前記作動部材（２２）を前記検出位置に移動させるべく、前記収集手段への気密連結の間圧縮されるよう配置されていることを特徴とする
接続装置。
【請求項６】
請求項５に記載の接続装置において、前記板バネ（１９）はブレード（２１）を有する環状部（２０）を有し、前記ブレード（２１）は、バネの環状部（２０）により画定される領域内に位置して前記作動部材（２２）を受け止める自由端を有するように、端縁から好ましく直径方向に内方に延在していることを特徴とする
接続装置。
【請求項７】
請求項６に記載の接続装置において、
前記第二の部材（２）は、前記収集手段に連結される手段（１８）に配置されかつ前記収集手段への気密連結の間、前記バネ（１９）の方向に相対的に移動するように配置された可動部（１５）を備え、
前記可動部（１５）は環状肩部（１６）を備え、前記バネ（１９）に対向する周縁が面取りされ、前記可動部（１５）が移動する間、前記バネ（１９）を凹形変形させるため前記板バネ（１９）の環状部（２０）への突き当てに適しており、前記第二の部材（２）に配置されかつ肩部の面取りと同じ傾斜を有する環状軸受部（１８ａ）への当接において、前記バネ（１９）の前記ブレード（２１）が前記作動部材（２２）を検出位置に動かすよう構成されている
ことを特徴とする接続装置。
【請求項８】
請求項３から請求項７のいずれか一項に記載の接続装置において、
前記作動部材（２２）は少なくとも一つの磁石（２２ａ）の形式である
ことを特徴とする接続装置。
【請求項９】
請求項８に記載の接続装置において、
前記作動部材（２２）は少なくとも一つの磁気スイッチ（１３）の形式である
ことを特徴とする接続装置。
【請求項１０】
少なくとも一つの管（Ｔ）により生成物を排出し、前記生成物が収集手段の中で気密状態で回収されるようにした、好ましくは実験用分析器具である、機器であって、
請求項１から９のいずれか一項に記載の接続装置を備え、
前記第一の部材は前記生成物排出管（Ｔ）に気密状態で接続される
ことを特徴とする機器。
【請求項１１】
少なくとも一つの管（Ｔ）により生成物を排出し、前記生成物は収集手段の中で気密状態で回収されるようにした、好ましくは実験用分析器具である、機器であって、
請求項１から９のいずれか一項に記載の接続装置を備え、
前記第一の部材は前記生成物排出管（Ｔ）に気密状態で接続され、かつ、前記第二の部材は前記収集手段に気密状態で接続される
ことを特徴とする機器。
【請求項１２】
好ましくは実験用分析器具である機器の、少なくとも一つの排出管（Ｔ）により排出されるようにした生成物を回収するための気密手段であって、
請求項１から９のいずれか一項に記載の接続装置を備え、
前記生成物収集手段は、前記第二の部材（２）に気密状態で連結される
ことを特徴とする気密手段。
【請求項１３】
請求項１２に記載の生成物を回収するための気密手段であって、
排出されかつ収集された生成物の処理に適した処理ユニットの形式であることを特徴とする気密手段。
【請求項１４】
請求項１２に記載の生成物を回収するための気密手段であって、
ネジ山のついた首部を備え、閉じられた気密体積を画定する生成物貯蔵タンクの形式であることを特徴とする気密手段。
【発明の詳細な説明】
【技術分野】
【０００１】
本発明は、例えばデオキシリボ核酸（ＤＮＡ）及び／又はリボ核酸（ＲＮＡ）等の核酸を生物試料から抽出することを可能とする実験用分析器具を含む装置の技術分野に関するものである。
【０００２】
本発明は特に、そのような分析機器からの少なくとも一つの生成物排出管を、当該生成物を収集する手段に接続する装置に関する。
【０００３】
生成物という語句は、ガス状又は固体状の生成物、例えば粉体状の生成物と、液体状もしくは粘性状、または液体懸濁液中の固体状の生成物の両方に言及することができる。本発明の要旨における液体とは、特に、固体マトリックス又は半固体マトリックス、例えば組織、呼吸器サンプル、痰、膿又は便、が液体中に懸濁しているものを表すことができる。
【０００４】
より一般的には、本発明は、実験用分析器具を含み、少なくとも一つの生成物排出管と当該生成物を収集する手段とを備えるあらゆる装置において実施することができる接続装置に関する。生成物収集手段との語句は、例えば、生成物を受け取り、それを処理するのに適した処理手段、又は生成物を蓄えるのに適した手段をも意味する。この収集手段は排出される生成物の特性に適したあらゆるタイプのものであってよく、特に限定されない。
【０００５】
本発明は、このような接続装置を備えた分析機器、並びに、このような接続装置を備えた当該分析機器から排出された生成物を収集する手段に関するものである。
【背景技術】
【０００６】
知られている最先端の技術は、特に自動化されたピペットにより、一方で生物試料を、また他方で化学試薬を収集する「ピペッティング」と呼ばれる操作を行う際に生物試料から核酸を抽出するための装置、である。
【０００７】
扱われる生物試料は汚染の影響を受けやすく、生物試料の収集と試薬の収集は、完全に気密で行われることが必須である。これはこのような生物試料、及び続いて行われる分析操作のための汚染源となり得る反応性液体の排出、及び装置を使用する環境についても同様である。
【０００８】
特に、該装置は、各々が別の自動ピペッティング手段からの液体を排出する複数の液体排出管を持つことができる。例えば、生物試料及び／又は液体化学試薬のための二本の排出管は、接続装置により気密状態で貯蔵タンクに接続される。
【０００９】
最先端の技術によれば、前記接続装置は、機器の二本の排出管の気密接続手段を備える第一の部材と、排出液体貯蔵タンクへの連結のための気密手段を備える第二の部材とを有する。
【００１０】
これら第一及び第二の部材は、両者間が気密状態で連結され、かつ、これら第一及び第二の部材により液体を排出管から貯蔵タンクに排出させるための付加的手段を備える。
【００１１】
接続装置の第一及び第二の部材間の正確かつ気密な接続を確実にするため、二つの磁石が、両部材の一方に配置され、かつ、両部材が気密状態で連結されたとき、（二つの対応する磁気スイッチに対向して）他方の部材に位置するように構成されている。従って、両部材が気密状態で連結されたとき、磁石は、磁気スイッチを閉じかつ第一及び第二の部材の気密連結を示す信号を送信する磁気スイッチの検出距離に位置する。
【００１２】
しかしながら、この接続装置の構成において、接続装置の第二の部材が液体貯蔵タンクに気密状態に接続されていなくとも分析機器を操作することが可能であることが分かった。
【００１３】
結果として、排出液体は、貯蔵タンクと第二の部材との間を流れることができる。漏出に伴う不都合に加えて、流れはピペッティング領域の汚染リスクを上昇させ、以降の分析操作を歪めるおそれがある。
【発明の概要】
【発明が解決しようとする課題】
【００１４】
従って、本発明の目的の一つは、核酸の抽出のためのピペッティング操作等の分析操作を行うことを可能にする装置からの液体、気体又は固体の、少なくとも一つの生成物排出管と、使用時の最適なシーリング及び安全性を有しかつ漏出及び汚染のリスクを回避する、生成物を収集する手段と、を接続する接続装置提案することにより、前述した不利益を克服することである。
【課題を解決するための手段】
【００１５】
この目的のため、少なくとも一つの生成物排出管と共に、生成物を収集する収集手段を備える気密接続装置が開発された。この装置は、
生成物排出管に気密状態で接続する手段を備える第一の部材と、
収集手段に気密状態で連結される手段を備える第二の部材と、
を備える。
【００１６】
第一及び第二の部材は、両者間が気密状態で連結され、第一及び第二の部材によよって生成物を排出管から収集手段に排出されるようにするための付加的手段を備える。
【００１７】
本発明によれば、第二の部材は、収集手段に気密に連結されている間作動するように配置された位置センサを備える。
【００１８】
このようにして、接続装置が生成物収集手段に気密状態で連結されたとき、センサが作動し、気密連結を示すために信号をユーザに送信する。漏出及び汚染のリスクは回避され、収集手段への気密状態の連結が達成されなければ、接続装置は使用することができない。
【００１９】
生成物収集手段は、排出される生成物の特性に適したあらゆるタイプのものであってよく、例えば、生成物を収集してそれを処理するのに適した処理手段であったり、もしくは、生成物の貯蔵タンクのように、生成物を蓄えるのに適した手段であったりしてもよい。
【００２０】
好ましくは、センサの作動が、第一の部材と第二の部材の気密連結の検出のための位置への移動を生じさせる。
【００２１】
このようにして、本発明は、一つのセンサにより、一方では第二の部材と収集手段との気密連結、他方では接続装置の二つの要素部材の連結の、両方を検出することを可能とする。
【００２２】
ある実施形態によれば、第二の部材は、位置センサの検出部材に対して位置センサの作動部材を移動させる移動手段を備え、特に作動部材が中立位置から検出位置へ移動可能とされており、移動手段は収集手段への気密連結の間作動している。
【００２３】
有利には、検出部材は、第二の部材が収集手段に気密状態に連結されたとき、移動手段が作動部材を部材の検出距離で検出位置に移動させるように第一の部材に配置されている。
【００２４】
ある実施形態によれば、移動手段は、収集手段への連結の手段に配置された板バネの形状であり、作動部材はバネのブレードに取り付けられ、かつ、バネは、収集手段との連結の間、作動部材を検出位置に移動させるべく圧縮されるように配置される。
【００２５】
板バネは、例えば、ブレードを有する環状部を有し、このブレードは、バネの環状部により確定される領域内に位置して作動部材を受け止める自由端を有するように、端縁から好ましく直径方向に延在している。
【００２６】
この構成では、第二の部材は、例えば、収集手段に連結される手段に配置され、収集手段への気密連結の間、バネの方向と相対的に移動するように配置される可動部を備える。可動部は環状肩部を備え、バネに対向する周縁が面取りされ、可動部が移動する間、バネを凹形変形させるため板バネの環状部への突き当てに適し、第二の部材に配置された、肩部の面取りと同じ傾斜を有する環状軸受部への当接において、バネのブレードが作動部材を検出位置に動かすよう構成されている。
【００２７】
センサの起動部材と検出部材は、本発明の範囲を超えない限りどのようなタイプのものであってもよい。例えば、起動部材は少なくとも一つの磁石の形式を有する。ある構成においては、検出部材は少なくとも一つの磁気スイッチの形式を有してもよい。
【００２８】
本発明は、機器の保護、好ましくは、例えば気密状態で、排出管を用いて生成物を収集手段に排出することにより核酸の抽出を行わせるような分析実験器具の保護を意図している。
【００２９】
本発明によれば、機器は、第一の部材が生成物排出管に気密状態で接続された、上述した接続装置を備える。
【００３０】
同様にして、本発明は、機器の保護、好ましくは接続装置と、排出された生成物の収集手段とを備える実験用分析器具の保護を意図している。本発明によれば、接続は、第一の部材が生成物排出管に気密状態で接続され、第二の部材が収集手段に気密状態で連結される上述の接続と整合している。
【００３１】
最後に、本発明は、機器の少なくとも一つの管により排出される生成物の気密接続手段の保護、好ましくは実験用分析器具の保護を意図している。本発明によれば、接続手段は、上述した接続装置の第二の部材に気密状態で連結される。
【００３２】
ある実施形態によれば、排出された生成物の収集手段は、例えば、排出されて収集された生成物の処理に適した処理ユニットのような処理手段の形式、もしくは、閉じられた気密体積を画定し、ネジ山のついた首部を備える貯蔵タンクのような貯蔵手段の形式である。
【００３３】
本発明の更なる特徴及び有利な点は、以下に提供される、参照のみのためであり、限定をするものではない、添付の図面を参照する記載によって明らかにされるであろう。
【図面の簡単な説明】
【００３４】
【図１】互いに気密状態で連結された本発明に係る装置の第一及び第二の部材を、該装置の雄型／雌型接続管を通る断面で示す長手方向断面概略図である。
【図２】検出位置において示される位置センサ磁石を通る断面で示す、図１と同様の長手方向断面概略図である。
【図３】分析機器の二つの排出管に気密状態で接続された本発明に係る接続装置の第一の部材を一部切欠いて示す斜視概略図である。
【図４】貯蔵タンクのような生成物収集手段に気密状態で連結されるようなされた本発明に係る接続装置の第二の部材を示す概略斜視図であり、図である。
【図５】第二の部材の長手方向断面を示す図４と同様の斜視図である。
【図６】第二の部材を締め付けリングもしくはそのカバーを省いて示す図４と同様の斜視図である。
【図７】本発明に係る装置の第二の部材に実装された板バネを示す概略斜視図である。
【図８】本発明に係る装置の第二の部材が生成物収集手段に連結されておらず、又は連結が全体的にかつ気密状態で完全になされておらず、センサの作動部材が中立位置にないときのバネの位置を示す概略図である。
【図９】本発明に係る第二の部材が収集手段に気密状態で連結されており、センサの起動部材が検出位置にあるときのバネの位置を示す図８と同様の概略図である。
【発明を実施するための形態】
【００３５】
本発明は、少なくとも一つの生成物排出管を、当該生成物を収集するための手段に接続するための装置に関するものである。
【００３６】
接続装置は、少なくとも一つの生成物排出管と収集手段との間で気密な接続を確実にする必要があるあらゆる応用状況で実施することができる。
【００３７】
以下、本発明は、生物試料及び化学試薬から核酸を抽出し、閉じた気密体積を画定しかつネジ山のついた首部を備えた貯蔵タンクの形式の収集手段の中に生成物を液体の形状で排出する機器、といった分析機器に関連して説明される。
【００３８】
最先端技術として知られる装置は、通常の繰り返す方法において、生物試料の中に含まれるＤＮＡ及び／又はＲＮＡを抽出するための生物試料及び化学試薬のピペッティング操作を行うことを可能にする。これらピペッティング操作の間、液体の生物試料及び化学試料は、各々別々のピペッティング手段からの液体を排出する二本の排出管により貯蔵タンクの中に排出される。
【００３９】
これら液体の排出は、必要に応じ、機器により行われる以降の抽出及び分析操作の汚染を回避するため、気密状態で行われなければならない。
【００４０】
この目的のため、機器は、液体の排出のための貯蔵タンクに二本の管を気密状態で接続する接続装置を備える。
【００４１】
図１から図６を参照すると、接続装置は、排出管（Ｔ）に気密状態で接続されるようにされた第一の部材（１）と、貯蔵タンク（図示せず）に気密状態で連結されるようにされた第二の部材（２）とを備える。これら二つの部材（１，２）は、特にクリップ固定により、気密状態で連結される。
【００４２】
第一の部材（１）と第二の部材（２）は、更に、第一及び第二の部材を通って排出管（Ｔ）から貯蔵タンクの中に液体を排出させる付加的手段を備える。
【００４３】
図３を参照すると、第一の部材（１）は、全体的に円筒形の形状の基部（３）を備え、この基部を、二つの雄型連結接続具（４）が長手方向に横断している。これら雄型連結接続具（４）は、一方においては、機器からの排出液体のための二本の管（Ｔ）の中に挿入されように、また他方においては、貯蔵タンクの内部と連通すべく第二の部材（２）が有する二つの相補的な雌型連結接続具（５）の中に挿入されるように構成されている。
【００４４】
雄型連結接続具（４）の各々は、シーリングのためのＯリング（６）と、連結具のロック手段（８）へのクリップ固定のための上部環状溝（７）を備えている。前記連結具は、雌型接続具（５）に配置されており、そうようにロックするために、前記溝（７）内への係合に適している。第一の部材（１）及び第二の部材（２）は、かように気密状態で互いに連結される。雄型連結接続具（４）及び雌型連結接続具（５）は、前記排出管（Ｔ）からきて、第一及び第二の部材を通って貯蔵タンクに排出される液体生成物を、気密状態で移動させる。
【００４５】
基部（３）は、更に、第二の部材（２）に対向するように、いずれも底部から突出するガイドフィンガー（９）と平坦キー溝（１０）とを更に備える。
【００４６】
図１と図２とを参照すると、第一の部材（１）と第二の部材（２）との間の連結は、それ故、二つの雄型連結接続具（４）の二つの雌型連結接続具（５）への挿入、及び、ガイドフィンガー（９）の、第二の部材（２）に配置された相補的な円筒状凹部（１１）への挿入によって行われる。第一の部材（１）から突出する平坦キー溝（１０）は、第二の部材（２）の相補的な平坦部（１２）と協働する。ガイドフィンガー（９）及びキー溝（１０）によって、エラーのリスクが無く、雄型連結接続具（４）のＯリング（６）の損傷を回避するようガイドされた方法での最適な連結が可能となっている。
【００４７】
最先端技術として知られる磁気スイッチ（１３）が、基部（３）の上部壁に位置する。磁気スイッチ（１３）は、底部壁の基部（３）の反対側に、磁性部材が検出距離に近づいてきたときに閉じるようにされている。磁気スイッチ（１３）の電気的接続は、従来周知のものでよく、ここでの説明は行わない。
【００４８】
第一の部材（１）の基部（３）は、排出管（Ｔ）を覆う保護カバー（１４）と、雄型連結接続具（４）への接続を備える。
【００４９】
他方、図４から図６を参照すると、第二の部材（２）は、貯蔵タンクのネジ山のついた首部を閉じるキャップの形式である。このため、第二の部材（２）は、シールのためにタンクの首部に挿入されるようにされた、全体的に円筒形状のシール部（１５）を備える。シール部材（１５）は、下部がシールリング（１７）にはめ合う上部環状肩部（１６）を備える。シールリング（１７）は、連結の後、タンクの首部の上部環状端部に接触するようにされる。
【００５０】
図４及び図５を参照すると、締付リング（１８）がシール部（１５）の周囲に配置され、シール部（１５）の環状シールリング（１７）と協働して、気密連結を確実なものとするために貯蔵タンクの首部の周りにねじ込まれるようにされる。
【００５１】
図５及び図６を参照すると、板バネ（１９）は締付リングの上部（１８ａ）とシール部（１５）の環状肩部（１６）の間に配置される。
【００５２】
図７を参照すると、板バネ（１９）は、環状部（２０）と、該環状部（２０）によって画定される領域内に位置する自由端を有するように端部から内側に、好ましくは直径方向に、延在したブレード（２１）とを有する。
【００５３】
図８及び図９を参照すると、板バネ（１９）の環状部（２０）は締付リング（１８）の上部（１８ａ）とシール部（１５）の環状肩部（１６）の間にクランプされる。バネに対向する環状肩部（１６）の周縁は面取りされる。締付リング（１８）の上部は、面取りされた肩部（１６）と実質的に同じスロープを有する。このようにして、締付リング（１８）の方向におけるシール部（１５）の相対的な移動は、板バネ（１９）を傾斜したスロープに沿って変形させかつブレード（２１）を持ち上げるべく凹状となるように板バネ（１９）の環状部（２０）の圧縮を可能にする。この締付リング（１８）とシール部（１５）の間の相対的な移動は、締付リング８１８）が、面取りされた肩部（１６）に支持された貯蔵タンクの首部にねじ込まれるときに得られる。その結果、貯蔵タンクと第二の部材（２）との間の連結が気密状態で行われたとき、板バネ（１９）のブレード（２１）は第一の部材（１）の方向に移動する。
【００５４】
しかしながら、板バネ（１９）のブレード（２１）は、位置センサの作動部材（２２）を受け止める。作動部材（２２）は、例えば、タンクと接続装置との間の連結が気密状態で行われたとき、板バネ（１９）のブレード（２１）の持ち上がりに対応して、中立位置（図８）から検出位置（図２から図９）に移動可能な二つの磁石（２２ａ）である。
【００５５】
作動部材（２２）は、特に、接続装置の第一の部材（１）に配置された三つの磁気スイッチ（１３）のうちの特に二つから構成された検出部材（２３）の方向に移動することができる。ブレード（２１）が持ち上がることによって、二つの磁石（２２ａ）が、貯蔵タンクと接続装置との間の気密連結をユーザに示すために閉じる両方の磁気スイッチ（１３）に対向し、かつ検出距離に位置することが可能となる。
【００５６】
このように、本発明は、第二の部材（２）に配置され、装置が貯蔵タンクに気密状態で連結されたときにのみ、第一の部材（１）に配置された検出部材（２３）の方向及び検出領域内にある検出位置に移動可能な作動部材（２２）を有する位置センサを備える接続装置を提供する。このようにして、検出は、第一の部材（１）と第二の部材（２）との間が気密状態で連結されたときにのみ検出が行われる。言い換えれば、本発明は、一つのセンサにより、一方で、第二の部材（２）と収集手段とを気密に連結させ、他方では、接続装置を構成する第一の部材（１）と第二の部材（２）との間を連結させる。
【００５７】
該装置は、気密状態で連結されたときユーザに知らせることができるので、接続装置は使用時の最適な安全を確実にし、漏出及び汚染のリスクを回避する。より有利な形態では、検出部材（２３）の磁気スイッチ（１３）は、磁気スイッチ（１３）が閉じられない限り、すなわち連結が気密ではないことを示す限りは機能しないように機器を制御する。
【００５８】
更に安全性を保障するため、接続装置は、貯蔵タンク内に含まれる液体の体積が所定の閾値より大きいことをユーザに伝えるのに適したオーバフローセンサを組み込む。この目的のため、図５を参照し、シール部（１５）は、二等辺三角形の断面を有する円筒状の管路（２４）を備える。管路（２４）は、貯蔵タンクの側に開口して連通する。管路（２４）は、上部に磁石（２６）が備え付けられるフロート（２５）を摺動状態で受け止める。磁石（２６）は、第一の部材（１）が第二の部材（２）に連結されたとき、第一の部材（１）の三番目の磁気スイッチ（１３）の右側に位置するようにされる。実際には、フロート（２５）は、タンクの中の液体のレベルの作用として、円筒状の管路の中で摺動し、タンクの中の液体の体積がある閾値を超えると、それが多すぎることを示すため、磁気スイッチ（１３）が閉じる検出距離となることを確実にするため、磁気スイッチの方向に押される。
【図１】
2018534535.tif 000003
【図２】
2018534535.tif 000004
【図３】
2018534535.tif 000005
【図４】
2018534535.tif 000006
【図５】
2018534535.tif 000007
【図６】
2018534535.tif 000008
【図７】
2018534535.tif 000009
【図８】
2018534535.tif 000010
【図９】
2018534535.tif 000011
【国際調査報告】
2018534535.tif 000012
2018534535.tif 000013
2018534535.tif 000014
2018534535.tif 000015